(57)【要約】【課題】簡易な構成で、同一画面に複数の映像を同時に表示するときのユーザビリティを向上することができる投写型映像表示装置を提供する。【解決手段】プロジェクタは、ｌ（ｌは自然数）個の入力ポートを含み、ｎ（ｎはｌ以下の自然数）個の映像信号供給装置から供給されるｎ個の映像信号を、ｎ個の入力ポートのそれぞれを介して入力する入力部と、入力部が入力したｎ個の映像信号のうちから２個の映像信号を選択して、メインウィンドウＷ１およびサブウィンドウＷ２のそれぞれに、該２個の映像信号に基づく映像を表示する表示部と、該表示部の映像表示領域１００のうちのメインウィンドウＷ１およびサブウィンドウＷ２以外のブランク領域Ｂ１，Ｂ２に、２個の映像信号に関する情報を報知するための報知映像を表示させるための報知部とを備える。【選択図】図５
2011090038.tif 000002
【特許請求の範囲】
【請求項１】
ｌ（ｌは自然数）個の入力ポートを含み、ｎ（ｎはｌ以下の自然数）個の映像信号供給装置から供給されるｎ個の映像信号を、ｎ個の入力ポートのそれぞれを介して入力する入力部と、
前記入力部が入力した前記ｎ個の映像信号のうちのｍ（ｍはｎ以下の自然数）個の映像信号を選択して、ｍ個の表示領域のそれぞれに、前記ｍ個の映像信号に基づく映像を表示する表示部と、
前記表示部の映像表示領域のうちの前記ｍ個の表示領域以外の余白領域に、前記ｍ個の映像信号のうちの少なくとも１つの映像信号に関する情報を報知するための報知映像を表示させるための報知部とを備える、投写型映像表示装置。
【請求項２】
前記少なくとも１つの映像信号に関する情報は、前記少なくとも１つの映像信号を供給する少なくとも１つの映像信号供給装置の種別に関する情報を含む、請求項１に記載の投写型映像表示装置。
【請求項３】
前記少なくとも１つの映像信号に関する情報は、前記少なくとも１つの映像信号の表示形式に関する情報を含む、請求項１に記載の投写型映像表示装置。
【請求項４】
前記少なくとも１つの映像信号に関連する情報は、前記少なくとも１つの映像信号の表示画質に関する情報を含む、請求項１に記載の投写型映像表示装置。
【発明の詳細な説明】
【技術分野】
【０００１】
この発明は、投写型映像表示装置に関し、より特定的には、同一画面に複数の映像を同時に表示する投写型映像表示装置に関する。
【背景技術】
【０００２】
投写型映像表示装置（以下、プロジェクタとも称する。）として、たとえば特開２００３−３２３１６８号公報（特許文献１）には、複数の画像入力を持つプロジェクタ装置であって、全入力画像が動画像として表示可能である、プロジェクタ装置の投影画像出力とは異なる映像表示装置を搭載した構成が開示されている。
【０００３】
この特許文献１では、映像表示装置には、タッチパネル方式の画像入力切替え装置が付加されており、該画像入力切替え装置により、プロジェクタ装置の投影画像出力を選択するように構成されている。特許文献１では、このような構成とすることにより、特定画像の投影中およびアイドリング状態での全入力状態の確認を可能としている。
【０００４】
また、このような複数の映像信号の入力ポートを備えるプロジェクタの他の例として、特開２００９−１１８０３６号公報（特許文献２）には、記録媒体に記録されている情報を読み取って、当該情報に基づく第１の画像信号を出力する画像再生部を備えるとともに、外部の画像出力装置から第２の画像信号が入力される画像信号入力部を備えたプロジェクタが開示される。
【０００５】
特許文献２に示すプロジェクタは、画像入力部に対する第２の画像信号の入力の有無を検出し、画像再生部が第１の画像信号を再生している状態で、第２の画像信号の入力が開始されたことが検出した場合には、第１の画像信号の再生を停止させるとともに、入力選択部に第２の画像信号を選択させるように構成される。このような構成とすることにより、ユーザは、外部の画像出力装置に画像を出力させる操作を行なうことによって再生画像から外部入力画像に切替えることが可能となる。よって、入力ソースを切替えるための操作が不要となり、画像を切替える際の操作を簡略化することができる。
【先行技術文献】
【特許文献】
【０００６】
【特許文献１】特開２００３−３２３１６８号公報
【特許文献２】特開２００９−１１８０３６号公報
【発明の概要】
【発明が解決しようとする課題】
【０００７】
上記のような複数の入力ポートを備えるプロジェクタにおいては、近年、外部の信号供給装置の種類の多様化によって、信号供給装置から映像信号を受けるプロジェクタ本体における入力ポート数が増加する傾向にある。
【０００８】
また、複数の入力ポートを備えるプロジェクタにおいては、同一画面に複数の映像を同時に表示する機能を備えたものが検討されている。
【０００９】
たとえば、４個の入力ポートを備えるプロジェクタにおいて、２個の映像を同時に表示する２画面表示機能により映像を表示する場合を想定する。この場合、プロジェクタでは、２画面のそれぞれに表示するべき２個の映像が、４個の入力ポートの映像信号のうちの２個の映像信号の組合せに従って切替えられる。
【００１０】
このような映像信号の切替えを上述した特許文献１に示すプロジェクタ装置において行なうためには、画像入力切替え装置の構成が複雑化する可能性がある。同様に、特許文献２に示すプロジェクタにおいても、画像信号入力部に対する画像信号の入力の有無を検出する画像信号検出部が入力ポート毎に必要となるため、画像を切替えるための制御構成が複雑化するという問題が生じる。したがって、簡易な装置構成で、複数の映像を同時に表示する際の操作を簡略化できることが求められている。
【００１１】
それゆえ、この発明は、かかる課題を解決するためになされたものであり、その目的は、簡易な構成で、同一画面に複数の映像を同時に表示するときのユーザビリティを向上することができる投写型映像表示装置を提供することである。
【課題を解決するための手段】
【００１２】
この発明のある局面に従う投写型映像制御装置は、ｌ（ｌは自然数）個の入力ポートを含み、ｎ（ｎはｌ以下の自然数）個の映像信号供給装置から供給されるｎ個の映像信号を、ｎ個の入力ポートのそれぞれを介して入力する入力部と、入力部が入力したｎ個の映像信号のうちのｍ（ｍはｎ以下の自然数）個の映像信号を選択して、ｍ個の表示領域のそれぞれに、ｍ個の映像信号に基づく映像を表示する表示部と、表示部の映像表示領域のうちのｍ個の表示領域以外の余白領域に、ｍ個の映像信号のうちの少なくとも１つの映像信号に関する情報を報知するための報知映像を表示させるための報知部とを備える。
【００１３】
好ましくは、少なくとも１つの映像信号に関する情報は、少なくとも１つの映像信号を供給する少なくとも１つの映像信号供給装置の種別に関する情報を含む。
【００１４】
好ましくは、少なくとも１つの映像信号に関する情報は、少なくとも１つの映像信号の表示形式に関する情報を含む。
【００１５】
好ましくは、少なくとも１つの映像信号に関連する情報は、少なくとも１つの映像信号の表示画質に関する情報を含む。
【発明の効果】
【００１６】
この発明によれば、簡易な構成で、同一画面に複数の映像を同時に表示するときのユーザビリティを向上することができる。
【図面の簡単な説明】
【００１７】
【図１】この発明の実施の形態に係る投写型映像表示装置により映像を投影する場合の周辺装置の構成を説明する図である。
【図２】図１におけるプロジェクタの構成を示す図である。
【図３】図２の一部を詳細に示す図である。
【図４】本実施の形態に係るプロジェクタによる表示映像の一例を示す図である。
【図５】本実施の形態に係るプロジェクタによる表示映像の一例を示す図である。
【図６】本実施の形態に係るプロジェクタによる表示映像の他の例を示す図である。
【図７】本実施の形態に係るプロジェクタによる表示映像の他の例を示す図である。
【発明を実施するための形態】
【００１８】
以下、本発明の実施の形態について、図面を参照しながら詳細に説明する。なお、図中の同一または相当する部分には同一符号を付してその説明は繰返さない。
【００１９】
図１は、この発明の実施の形態に係る投写型映像表示装置により映像を投影する場合の周辺装置の構成を説明する図である。
【００２０】
図１を参照して、本実施の形態に係る投写型映像表示装置（以下、「プロジェクタ」とも記す。）１は、液晶デバイスを利用して映像を投影する液晶プロジェクタであって、スクリーン６に液晶デバイスにより表示される映像の光を投写することにより、映像を投影（表示）する。投写面は、スクリーン６に限定されず、壁面であってもよい。
【００２１】
プロジェクタ１は、ユーザが操作するリモコン（リモートコントローラの略）４から送信される赤外線変調されたリモコン信号を受信するリモコン受信部２０と、入力部９とを備える。リモコン信号には、プロジェクタ１を遠隔制御するためのコマンド信号が含まれる。入力部９は、複数の入力ポートを含み、各ポートからは異なる種類の映像信号が入力可能である。なお、本実施の形態では、簡単のため、外部の映像信号供給装置を２個とするとともに、これらの映像信号供給装置２Ｄ，２Ａに対応して、入力部９が２個の入力ポートを含むものと仮定する。
【００２２】
入力部９には、デジタル伝送路３とアナログ伝送路７とが接続される。デジタル伝送路３は、ＨＤＭＩ（High Definition Multimedia Interface）ケーブルを含む。ＨＤＭＩケーブルは、外部のデジタル信号供給装置２Ｄとプロジェクタ１との間でＨＤＭＩに従う信号を伝送する。通信ケーブルは、入力部９の入力ポートに接続される。ここでは、デジタル伝送路は、ＨＤＭＩに従ってデータ・信号を伝送する経路であるとしているが、ＤＶＩ（Digital Visual Interface）に従った伝送経路であってもよい。
【００２３】
アナログ伝送路７は、有線または無線の伝送路を含む。伝送路は、アナログ信号供給装置２Ａとプロジェクタ１との間で信号を伝送する。アナログ伝送路７は、入力部９の入力ポートに接続される。
【００２４】
ここでは、デジタル信号供給装置２Ｄは、ＤＶＤ（Digital Versatile Disc）再生装置、Ｂｌｕ−Ｒａｙディスク再生装置などのデジタル信号を出力するデジタル信号供給装置を想定し、アナログ信号供給装置２Ａは、コンピュータなどのアナログ信号を出力する装置を想定する。
【００２５】
説明を簡単にするため、アナログ信号供給装置２Ａから送信されるアナログ信号は映像信号であると想定し、デジタル信号供給装置２Ｄから供給されるデジタル信号は映像信号であると想定する。映像信号とともに音声信号も伝送されるが、説明を簡単にするために、音声信号の伝送およびプロジェクタ１における音声信号処理の説明は略す。
【００２６】
図２は、図１におけるプロジェクタ１の構成を示す図である。
図２を参照して、プロジェクタ１は、映像信号処理回路１０と、ＯＳＤ（On Screen Display）回路１６と、合成部１２と、ＤＡＣ（Digital Analog Converter）１８と、マイコン（マイクロコンピュータ）１３と、液晶表示駆動部１４と、光学系１５と、電源ユニット１７と、コネクタ１９と、ランプ１６とを備える。
【００２７】
マイコン１３は、リモコン４（図１）からリモコン受信部２０を介して入力したコマンド信号に基づいて、制御指令を生成してプロジェクタ１の各部へ出力する。
【００２８】
映像信号処理回路１０は、入力部９から入力された映像信号を表示のための信号に処理して出力する。具体的には、映像信号処理回路１０は、入力部９からの映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力された映像信号を変換して投写映像用の映像信号である映像データを生成する。
【００２９】
ＯＳＤ回路１１は、マイコン１３からの命令に従って、プロジェクタ１の各種状態を表す文字や記号、画像歪み補正、画質調整、動作条件設定等を行なう際のメニュー映像や、ポインタ映像やアンダーライン映像などの装飾映像など（以下、これらの画像を「ＯＳＤ映像」とも称す。）をＯＳＤ映像信号として生成し、合成部１２へ出力する。
【００３０】
合成部１２は、ＯＳＤ映像信号を、映像信号処理回路１０から出力された映像信号に合成し、合成映像信号として映像データを生成し、ＤＡＣ１８に供給する。
【００３１】
ここで、ＯＳＤ映像信号は、ユーザがリモコン４からＯＳＤ映像の表示を指示することにより、ＯＳＤ回路１１がＯＳＤ回路１１内の図示しないメモリに記憶されているＯＳＤデータを読み出すことにより生成される。なお、ＯＳＤ映像を表示しない場合には、合成部１２は上記の合成処理を行なわず、映像信号処理回路１０から出力された映像データが、そのままＤＡＣ１８に供給される。
【００３２】
ＤＡＣ１８は、合成部１２から出力された映像信号を入力し、アナログ信号に変換して液晶表示駆動部１４へ出力する。
【００３３】
液晶表示駆動部１４、光学系１５およびランプ１６は、ＤＡＣ１２から出力される映像信号に従って、マイコン１３の制御の下に、スクリーン６に映像を表示するための表示部に相当する。
【００３４】
表示部の動作について説明する。照明装置であるランプ１６は、たとえば超高圧水銀ランプ、メタルハライドランプ、キセノンランプなどからなる。ランプ１６は、コネクタ１９を介してプロジェクタ１に着脱自在に取り付けられる。ランプ１６からは、略平行光となって光が液晶表示駆動部１４に出射される。
【００３５】
液晶表示駆動部１４は、図示しないレンズおよびプリズムを含む光学系と、Ｒ，Ｇ，Ｂの各液晶パネルとを含む。液晶表示駆動部１４では、内部の図示しないレンズ系を通過したランプ１６からの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ１２から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーン６上に拡大投写される。投写レンズは、投写光をスクリーン６に結像させるためのレンズ群と、これらレンズ群の一部を光軸方向に変化させて投写映像のズーム状態およびフォーカス状態を調整するためのアクチュエータを備えている。
【００３６】
電源ユニット１７は、図示しないＡＣ（Alternating Current）電源のコンセントに差し込まれるプラグ（図示せず）を経由して電源が供給されて、供給された電源をプロジェクタ１内の各部に供給する。
【００３７】
ユーザは、リモコン４を用いて、種々の入力を行なうことができる。リモコン４から送信されたリモコン信号は、リモコン受信部２０を介してマイコン１３に入力されて対応する種々の処理が実行される。
【００３８】
この処理の１つとして、本実施の形態に係るプロジェクタ１は、入力部９の２個の入力ポートからそれぞれ入力されるアナログ信号およびデジタル信号を選択して、２個の表示領域のそれぞれに、アナログ信号に基づく映像およびデジタル信号に基づく映像を同時に表示する機能（以下、２画面表示機能とも称する。）を備えている。
【００３９】
以下に、図３を参照して、本実施の形態に係るプロジェクタ１の２画面表示機能を説明する。
【００４０】
図３は、図２の一部（入力部９、映像信号処理回路１０）を詳細に示す図である。
図３を参照して、入力部９は、入力ポート９Ｄ，９Ａを含む。入力ポート９Ｄには、デジタル伝送路３のＨＤＭＩケーブルによってデジタル信号供給装置２Ｄが接続される。入力ポート９Ａには、アナログ伝送路７の伝送路（有線または無線）によってアナログ信号供給装置２Ａが接続される。各入力ポートには、接続されたアナログまたはデジタル信号供給装置２Ａまたは２Ｄからアナログまたはデジタル映像信号が供給されて、供給された映像信号を入力する。
【００４１】
映像信号処理回路１０は、プロジェクタ１の表示能力や仕様を示すＥＤＩＤ（Extended Display Identification Data）情報を格納するＥＤＩＤメモリ２０Ｄ，２０Ａと、デジタル信号処理部２２と、スケーリング部２６，２８と、Ａ／Ｄコンバータ２４と、２画面合成部３０とを含む。なお、ＥＤＩＤ情報には、プロジェクタ１の表示能力や仕様を示すものとして、プロジェクタ１の表示可能な解像度（映像の情報）、オーディオストリーム情報（音声形式などの音声の情報）、製造番号などの機器固有の情報などが含まれている。
【００４２】
ＥＤＩＤメモリ２０Ｄは、不揮発性メモリであり、デジタル映像信号に対応したＥＤＩＤ情報が書き込まれている。ＥＤＩＤメモリ２０Ｄは、入力ポート９Ｄに接続されており、入力ポート９Ｄがデジタル伝送路３を介してデジタル信号供給装置２Ｄに接続されたときには、デジタル映像信号に対応したＥＤＩＤ情報を、デジタル信号供給装置２Ｄへ送信することができる。
【００４３】
ＥＤＩＤメモリ２０Ａは、不揮発性メモリであり、アナログ映像信号に対応したＥＤＩＤ情報が書き込まれている。ＥＤＩＤメモリ２０Ａは、入力ポート９Ａに接続されており、入力ポート９Ａがアナログ伝送路７を介してアナログ信号供給装置２Ａに接続されたときには、アナログ映像信号に対応したＥＤＩＤ情報を、アナログ信号供給装置２Ａへ送信することができる。
【００４４】
デジタル信号処理部２２は、入力ポート９Ｄから入力されたデジタル映像信号を表示のための信号に処理して出力する。具体的には、デジタル信号処理部２２は、デジタル映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力されたデジタル映像信号を変換して表示用の映像信号である映像データを生成する。
【００４５】
スケーリング部２６は、表示部の解像度を基準（以下、「基準表示サイズ」とも称する。）として、基準表示サイズ以下の予め設定される１画面当たりの表示サイズに応じて、デジタル映像信号の表す映像の解像度の変換処理を実行する。この解像度変換処理によって、スケーリング部２６は、表示部の解像度以下の解像度を有する表示用の映像を表す映像データを生成する。
【００４６】
Ａ／Ｄコンバータ２４は、入力ポート９Ａから入力されたアナログ映像信号を、デジタル信号に変換し、変換後の信号をスケーリング部２８に出力する。
【００４７】
スケーリング部２８は、基準表示サイズ以下の予め設定される１画面当たりの表示サイズに応じて、アナログ映像信号の表す映像の解像度の変換処理を実行する。この解像度変換処理によって、スケーリング部２８は、表示部の解像度以下の解像度を有する表示用の映像を表す映像データを生成する。
【００４８】
スケーリング部２６とスケーリング部２８とで生成された映像データは、２画面合成部３０に与えられる。２画面合成部３０は、与えられる２個の映像データに基づき、スクリーン６に表示する１フレーム分のデジタルの映像信号を合成する。合成して得られた１フレーム分の映像信号は、合成部１２（図２）に出力される。
【００４９】
図３によれば、入力ポート９Ｄに与えられる映像信号および入力ポート９Ａに与えられる映像信号を同時に表示することができる。図４は、本実施の形態に係るプロジェクタ１による表示映像の一例を示す図である。
【００５０】
図４を参照して、表示部（液晶パネル）が映像を表示すべき表示領域１００には、２個の映像のうちの一方を表示するための表示領域（以下、メインウィンドウとも称する。）Ｗ１と、２個の映像のうちの他方を表示するための表示領域（以下、サブウィンドウとも称する。）Ｗ２とが含まれる。
【００５１】
図４の例では、メインウィンドウＷ１とサブウィンドウＷ２とは同じ表示サイズであって、かつ、表示領域１００の略１／４のサイズに相当すると想定する。そして、図４のように、メインウィンドウＷ１とサブウィンドウＷ２とを横に並列に配置する態様とした場合には、表示領域１００のうち、メインウィンドウＷ１とサブウィンドウＷ２とを挟んだ上下部分には、それぞれ、映像が表示されない領域であるブランク領域Ｂ１，Ｂ２が形成される。
【００５２】
これまで、ブランク領域Ｂ１，Ｂ２は、ユーザが予め設定した映像の背景色などで塗りつぶされるのが一般的であって、有効に活用されていなかった。本実施の形態に係るプロジェクタ１では、このブランク領域Ｂ１，Ｂ２を利用することにより、メインウィンドウＷ１およびサブウィンドウＷ２における表示と同時に、してメインウィンドウＷ１およびサブウィンドウＷ２に表示されている映像信号に関する情報を報知するための報知映像を表示させる構成とする。
【００５３】
具体的には、図２を参照して、マイコン１３は、映像信号処理回路１０との間の通信により、入力ポート９Ｄおよび９Ａの映像信号に関する情報を取得する。そして、マイコン１３は、取得した映像信号に関する情報を示す信号を生成してＯＳＤ回路１１に出力する。ＯＳＤ回路１１は、マイコン１３から与えられる信号に基づき、ＯＳＤ映像信号を生成して合成部１２へ出力する。
【００５４】
合成部１２は、ＯＳＤ映像信号を、映像信号処理回路１０（２画面合成部３０）から出力された映像信号に合成し、合成映像信号として映像データを生成し、ＤＡＣ１８に供給する。これにより、メインウィンドウＷ１およびサブウィンドウＷ２の表示とともに、メインウィンドウＷ１およびサブウィンドウＷ２に表示されている映像信号に関する情報を表す報知映像が表示される。
【００５５】
これにより、ユーザは、映像信号に関する情報を取得するための操作を行なうことなく、直接的に所望の情報を取得することが可能となる。その結果、２画面表示を行なう際のユーザビリティを向上することができる。
【００５６】
図５は、本実施の形態に係るプロジェクタ１による表示映像の一例を示す図である。
図５を参照して、メインウィンドウＷ１およびサブウィンドウＷ２に２個の映像をそれぞれ表示するのと同時に、ブランク領域Ｂ２には、メインウィンドウＷ１に表示される映像の入力ソースに関する情報を報知する報知映像ＩＦ１と、サブウィンドウＷ２に表示される映像の入力ソースに関する情報を報知する報知映像ＩＦ２とが、それぞれメインウィンドウＷ１およびサブウィンドウＷ２と対応付けて表示される。
【００５７】
映像の入力ソースに関する情報には、たとえば、各ウィンドウに表示される映像の供給元である外部の信号供給装置および映像信号の種別などが含まれる。図５の例では、報知映像ＩＦ１としては、メインウィンドウＷ１に表示される映像は、供給元がＰＣ（Personal Computer）１であって、ＨＤＭＩに従って伝送された映像信号に基づくものであることが表示される。また、報知映像ＩＦ２としては、サブウィンドウＷ２に表示される映像は、供給元がＰＣ２であって、Ｖｉｄｅｏ信号に基づくものであることが表示される。
【００５８】
なお、表示の方法は、図５の例に限定されるものではなく、複数の外部の信号供給装置のうち、有効な信号供給装置と無効な信号供給装置とを色分け等などで区別して表示するようにしてもよい。
【００５９】
このような構成としたことにより、ユーザは、プロジェクタ１に設けられた複数の入力ポートのうちのどの入力端子に映像信号が入力されているかについて、入力部９を目視する、あるいは、ＯＳＤ回路１１によりメニュー画面を投写表示させるといった操作を介さずに、直接的に把握することができる。特に、信号供給装置の多様化によって多くの入力ポートを有するプロジェクタにおいて、そのメリットが顕著となり、２画面表示を行なう際のユーザビリティを向上することができる。
【００６０】
（他の構成）
図６は、本実施の形態に係るプロジェクタ１による表示映像の他の例を示す図である。
【００６１】
図６を参照して、メインウィンドウＷ１およびサブウィンドウＷ２に２個の映像をそれぞれ表示するのと同時に、ブランク領域Ｂ２には、メインウィンドウＷ１に表示される映像の表示形式に関する情報を報知する報知映像ＩＦ１と、サブウィンドウＷ２に表示される映像の表示形式に関する情報を報知する報知映像ＩＦ２とが、それぞれメインウィンドウＷ１およびサブウィンドウＷ２と対応付けて表示される。
【００６２】
映像の表示形式に関する情報には、たとえば、各ウィンドウに表示される映像に対応する入力映像信号の解像度および入力同期周波数（水平同期周波数、垂直同期周波数）などが含まれる。図５の例では、報知映像ＩＦ１としては、メインウィンドウＷ１に表示される映像に対応する入力映像信号が、解像度がＸＧＡ（１０２４×７６８画素）であって、水平同期周波数がａｋＨｚ、垂直同期周波数がｂＨｚであることが表示される。また、報知映像ＩＦ２としては、サブウィンドウＷ２に表示される映像に対応する入力映像信号が、解像度がＸＧＡ１であって、水平同期周波数がｃｋＨｚ、垂直同期周波数がｄＨｚであることが表示される。
【００６３】
通常、映像の表示形式に関する情報は、ユーザがメニュー画面を投写表示させる、あるいは、プロジェクタ１本体に設けられた操作パネルに表示させるという操作を行なうことによって取得されるものである。これに対して、本実施の形態に係るプロジェクタ１では、ブランク領域を活用してこれらの情報を表示させることから、ユーザは上記の操作を介さずに、映像の表示形式を直接的に把握することができる。
【００６４】
図７は、本実施の形態に係るプロジェクタ１による表示映像の他の例を示す図である。
図７を参照して、メインウィンドウＷ１およびサブウィンドウＷ２に２個の映像をそれぞれ表示するのと同時に、ブランク領域Ｂ２には、メインウィンドウＷ１に表示される映像の表示画質に関する情報を報知する報知映像ＩＦ１と、サブウィンドウＷ２に表示される映像の表示画質に関する情報を報知する報知映像ＩＦ２とが、それぞれメインウィンドウＷ１およびサブウィンドウＷ２と対応付けて表示される。
【００６５】
映像の表示画質に関する情報には、たとえば、各ウィンドウに表示される映像のシャープネス、明るさ（輝度）、コントラストなどの画質調整パラメータが含まれる。図７の例では、報知映像ＩＦ１としては、メインウィンドウＷ１に表示される映像の明るさおよびコントラストに関するパラメータの調整状態が表示される。また、報知映像ＩＦ２としては、サブウィンドウＷ２に表示される映像の明るさおよびコントラストに関するパラメータの調整状態が表示される。
【００６６】
２画面表示の状態で画質調整を行なう場合には、パラメータの変更がメインウィンドウＷ１およびサブウィンドウＷ２のどちらか一方に反映されるのか、あるいは、メインウィンドウＷ１およびサブウィンドウＷ２の双方に反映されるのかが、ユーザにとって判りづらいため、調整に要する操作が複雑になってしまう可能性がある。本実施の形態に係るプロジェクタ１によれば、各ウィンドウの表示画質の調整パラメータが、映像と対応付けて表示されるため、このような不具合を解消することができ、画質調整を行なう際の操作性を高めることが可能となる。
【００６７】
なお、本実施の形態では、異なる映像信号を表示する表示領域（ウィンドウ）の配置は、図４〜図７のように横に並列させる態様に限定されず、縦に並列させる態様であってもよい。また、表示領域のサイズは、図４〜図７のように同じサイズであってもよいが、異なるサイズであってもよい。また、各表示領域に表示する映像は、動画または静止画のいずれでも適用可能である。
【００６８】
また、本実施の形態では、入力ポート数が２個とし、かつ、スクリーン６に異なる２個の映像信号を表示する２画面表示を例として説明したが、これに限定されず、入力ポート数をｌ個（ｌは２以上の自然数）とし、かつ、ｎ個（ｎはｌ以下の自然数）の入力ポートを介して入力されたｎ個の映像信号のうちのｍ個（ｍはｎ以下の自然数）の異なる映像信号を同時に表示する複数画面表示について本実施の形態を広く適用することが可能である。
【００６９】
また、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【００７０】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００７１】
１  プロジェクタ、２Ａ  アナログ信号供給装置、２Ｄ  デジタル信号供給装置、３  デジタル伝送路、４  リモコン、６  スクリーン、７  アナログ伝送路、９Ｄ，９Ａ  入力ポート、９  入力部、１０  映像信号処理回路、１１  ＯＳＤ回路、１２  合成部、１３  マイコン、１４  液晶表示駆動部、１５  光学系、１６  ランプ、１７  電源ユニット、１９  コネクタ、２０Ｄ，２０Ａ  ＥＤＩＤメモリ、２０  リモコン受信部、２２  デジタル信号処理部、２４  Ａ／Ｄコンバータ、２６，２８  スケーリング部、３０  ２画面合成部、ＩＦ１，ＩＦ２  報知映像、Ｗ１  メインウィンドウ、Ｗ２  サブウィンドウ。
【図１】
2011090038.tif 000003
【図２】
2011090038.tif 000004
【図３】
2011090038.tif 000005
【図４】
2011090038.tif 000006
【図５】
2011090038.tif 000007
【図６】
2011090038.tif 000008
【図７】
2011090038.tif 000009